(57)【要約】【課題】  トイレットペーパー等のペーパーホルダーに関しペーパーをカットする装置、ペーパーを送る装置において、使用者がペーパーを掴んで引き出す際に掴み易い、使用者がペーパーを折り畳んで引き出す時、あらためて何度もペーパーを引き出す行為の無い、使用者があらためて手動でペーパーを千切る必要が無い、使い勝手を良くすることを目的とするものである。【解決手段】  本発明はペーパーロールを回転自在に保持するペーパーロール保持部と、前期ペーパーロール保持部に保持された前記ペーパーロールからペーパーを送り出す搬送ローラと、前記搬送ローラにより送り出される前記ペーパーを切断するペーパー切断部と、前期ペーパーを切断するタイミングを検出する切断タイミング検出部と、前期搬送ローラ下流の前記ペーパーの有無を検出するペーパー有無検出部と、前期搬送ローラ、前記ペーパー切断部、前記切断タイミング検出部および前記ペーパー有無検出部の動作を制御する制御部とから成ることを特徴としており、これにより課題を解決できる。【選択図】図３
2015202391.tif 000002
【特許請求の範囲】
【請求項１】
ペーパーロールを回転自在に保持するペーパーロール保持部と、前期ペーパーロール保持部に保持された前記ペーパーロールからペーパーを送り出す搬送ローラと、前記搬送ローラにより送り出される前記ペーパーを切断するペーパー切断部と、前期ペーパーを切断するタイミングを検出する切断タイミング検出部と、前期搬送ローラ下流の前記ペーパーの有無を検出するペーパー有無検出部と、前期搬送ローラ、前記ペーパー切断部、前記切断タイミング検出部および前記ペーパー有無検出部の動作を制御する制御部とから成ることを特徴とするペーパーホルダー
【発明の詳細な説明】
【技術分野】
【０００１】  本発明は、トイレットペーパー等のペーパーホルダーに関するものであり、ペーパーをカットする装置、ペーパーを送る装置に係るものである。
【背景技術】
【０００２】  トイレットペーパー等のペーパーホルダーに関しペーパーをカットする装置、ペーパーを送る装置は特許公報第３４５６６４９号に示されるようなものがある。このような装置は自動でペーパーを切断でき便利であるが、ペーパーを送る方向が下向きで装置の下側よりペーパーが出ている為、使用者がペーパーを掴んで引き出す際に掴み難い等の欠点があった。また、この装置では使用者がペーパーを引き出して停止したタイミングをきっかけとしてペーパーの切断機構を可動させて自動的に切断しているが、特にトイレットペーパーとして活用する場合、使用者はペーパーを２〜３０ｃｍ引き出してから２枚重ね、３枚重ねと折り返して使用することが多く、その折り返す時はあきらかにペーパーが停止してしまうので、使用者の意に介さず、自動でペーパーを切断してしまい、使用者がペーパーを折り畳んで引き出す時、あらためて何度もペーパーを引き出す行為を強いられる欠点があった。さらに、この装置はペーパーをカットする時にペーパーを引き出す方向を極端に曲げると、切断の為のカッター幅よりペーパーが外側に位置してペーパーの端が切断されない場合がある。ペーパーの質によっては紙を造っている繊維が切断され難く、粘り強い繊維では切断しても繊維は切断されない場合がある。このような時に切断した後ペーパーを送っても完全に切断されないままペーパーが送られてしまうので使用者があらためて手動でペーパーを千切る必要がある欠点があった。このように特許公報第３４５６６４９号に示されるような装置はトイレットペーパー等のペーパーホルダーに関し電動でペーパーをカットする装置、電動でペーパーを送る装置で便利ではあるが使用者がペーパーを掴んで引き出す際に掴み難い、使用者がペーパーを折り畳んで引き出す時、あらためて何度もペーパーを引き出す行為を強いられる、使用者があらためて手動でペーパーを千切る必要がある等使い勝手が悪いものであった。
【先行技術文献】
【特許文献】
【０００３】
【特許文献１】  特許公報  特許第３４５６６４９号
【発明の概要】
【発明が解決しようとする課題】
【０００４】  本発明の課題はトイレットペーパー等のペーパーホルダーに関しペーパーをカットする装置、ペーパーを送る装置において、使用者がペーパーを掴んで引き出す際に掴み易い、使用者がペーパーを折り畳んで引き出す時、あらためて何度もペーパーを引き出す行為の無い、使用者があらためて手動でペーパーを千切る必要が無い、使い勝手を良くすることを目的とするものである。
【課題を解決する為の手段】
【０００５】  本発明はペーパーロールを回転自在に保持するペーパーロール保持部と、前期ペーパーロール保持部に保持された前記ペーパーロールからペーパーを送り出す搬送ローラと、前記搬送ローラにより送り出される前記ペーパーを切断するペーパー切断部と、前期ペーパーを切断するタイミングを検出する切断タイミング検出部と、前期搬送ローラ下流の前記ペーパーの有無を検出するペーパー有無検出部と、前期搬送ローラ、前記ペーパー切断部、前記切断タイミング検出部および前記ペーパー有無検出部の動作を制御する制御部とから成ることを特徴としており、これにより課題を解決できる。
【発明の効果】
【０００６】  本発明によればペーパーをカットする装置、ペーパーを送る装置でペーパーを装置の前面に排出でき、そのペーパーを掴み引き出すことを容易にすることができるペーパーホルダーを提供できる。またペーパーを折り畳んで引き出す時、必要な長さ、必要な折り畳み量を使用者が確認してペーパーを切断することが出来、あらためて何度もペーパーを引き出す行為の無いペーパーホルダーを供給することができる。さらにペーパーを引き出す際にペーパーを引き出す方向が曲がることがあってもペーパーを確実に切断することができ、手動でペーパーを千切る必要が無い使い勝手の良いペーパーホルダーを供給することができる。
【図面の簡単な説明】
【０００７】
【図１】図１は本発明によるペーパーホルダーの実施例の斜視図である。
【図２】図１のペーパーホルダー実施例の正面図、平面図、側面図である。
【図３】図１のペーパーホルダー実施例の待機状態の側断面図である。
【図４】図１のペーパーホルダー実施例の待機状態からペーパーを引き出す状態を表した側断面図である。
【図５】図１のペーパーホルダー実施例のペーパーを引き出した後、カットする為のきっかけの状態を表した側断面図である。
【図６】図１のペーパーホルダー実施例のセンサー類の動きを表した斜視図である。
【図７】図１のペーパーホルダー実施例のペーパーをカットする状態を表す側断面図である。
【図８】図１のペーパーホルダー実施例のオートカッターカム歯車の斜視図である。
【図９】図１のペーパーホルダー実施例のペーパーを装置より引き出した状態の側断面図である。
【図１０】図１のペーパーホルダー実施例のペーパーを三角折りして装置の前面に排出する状態を表した側断面図である。
【図１１】図１のペーパーホルダー実施例のタイミングチャートである。
【図１２】図１のペーパーホルダー実施例のカバーを開いた状態の斜視図である。
【発明を実施するための形態】
【０００８】  以下、本発明の実施形態について図面を参照しながら説明する。図１は本発明によるペーパーホルダーの実施例の斜視図である。図２は図１のペーパーホルダー実施例の正面図、平面図、側面図である。１はカバー、２はケース左、３はケース右である。本発明実施例ではペーパーロールをカバー１、ケース左２、ケース右３で囲まれた装置内に納めて、使用者がペーパーを所定量引き出した後、自動カットし、ペーパーの先端部４０１を装置の前面５に三角状に折り曲げて排出ししている。この状態が装置の待機状態であり、ペーパーを使用する人が三角状に折り曲げたペーパーの先端４０１を容易に掴んでペーパーを引き出すことができる。尚１１はのぞき窓で、透明度の高い樹脂で作られ、カバー１に固定されており、ペーパーロール残量を外側から見えるように配慮されている。図３以降の図を用いて待機状態以降の動作を説明する。
【０００９】  図３は図１のペーパーホルダー実施例の待機状態の側断面図である。フレーム右６とフレーム左（断面により図示無し）により枠組みされた上部にペーパーロール７を配置し、ペーパーロール７の外周をペーパーロール受け８と受ローラ９で支えている。ペーパーロール７はペーパー４の一端４０２を引っ張ればペーパーロール受け８と受ローラ９上で回転できペーパー４が巻き解かれていく。カバー１はフレーム右６とフレーム左のカバー支点１０に軸支されている。カバー１は透明材料で作られたのぞき窓１１が固定されており、外部よりペーパーロール７の外径がどの程度か見えるようになっている。ペーパーロール７より解かれたペーパー４はフレーム右６とフレーム左に回転可能に取り付けられたペーパー受回転軸１２に接し、次にカバー１に回転可能に設けたペーパー押えローラ１３に接し、次にカバー１に設けた湾曲部１４に接し、排出口１５から外部に出ている。ペーパーの先端部４０１は装置の前面５側に出ており、しかも三角折りになっている。ペーパー送リローラ１６はペーパー送り軸スライダ１７に回転可能に軸支されており、ペーパー送り軸スライダ１７は図面上の左右方向に移動できる機構となっており、待機状態を表す図３では、ペーパー押えローラ１３とペーパー送りローラ１６は接しない状態であり、ペーパー４は自由に動くことができる状態となっている。
【００１０】  排出口１５近辺にはカバー１に軸支した押え板１９を設けてあり、装置の待機状態ではペーパー４に沿って位置している。また排出口１５近辺にはカバー１に軸支したペーパー検出レバー１８を設けてあり、装置の待機状態ではペーパー４にペーパー検出レバー１８の検出部１８１が接した状態となっている。
【００１１】  ２７はペーパー４を自動でカットするペーパー切断部である。ペーパー切断部２７はカッターを有しており、図面３上で左右方向に移動する事ができ、ペーパー４を切断できるものである。その左右方向へ移動させる制御をしている部品がオートカッターモーター２３、オートカッターモーター歯車２４、オートカッターカム歯車２５、歯車輪列２８、オートカッター駆動軸２６である。図３の待機状態ではオートカッターモーター２３、オートカッターモーター歯車２４、歯車輪列２８、オートカッターカム歯車２５は動かない。オートカッターカム歯車２５には図８で示すように溝カム２５１が設けてあり、溝カム２５１にオートカッター駆動軸２６が入り込んでいる。図３の待機状態ではオートカッターカム歯車２５の最小径に位置する溝カム２５１にオートカッター駆動軸２６が入り込んでいるので、ペーパー切断部２７はペーパー４から最も遠い位置に制御されている。
【００１２】  図４は図３の待機状態からペーパー４を引き出す状態を表した図である。ペーパーの使用者はペーパー４を使用する為にペーパーの先端４０１を掴み、必要な長さを引き出す。ペーパー押えローラ１３とペーパー送りローラ１６は接しない状態であり、ペーパー４は自由に動くことができる状態となっているので使用者が引き出そうとした長さを自由に引き出すことができる。引き出した量だけペーパーロール７は巻き解かれていく。
本発明によるペーパーホルダー装置は、この状態ではペーパー４を引き出すことを検出すること、あるいはペーパー４を引き出し停止することを検出することは一切しない。例えば３０ｃｍ引き出して、そのままの状態で時間が経っても本発明によるペーパーホルダーは次の動作に移らない。又、３０ｃｍ引き出した後、時間をかけてペーパー４を折り返して引き出すことができる。この動作を何回も繰り返し、ペーパー４を幾重にも折り返して引き出すことができる。そのままの状態で時間が経っても本発明によるペーパーホルダーは次の動作に移らない。従ってペーパー送りローラ１６もペーパー切断部２７も待機状態のままである。
【００１３】  図５はペーパー４を引き出した後、カットする為のきっかけの状態を表した図である。使用者がペーパー４を引き出して、図４の状態からペーパー４の先端４０１を上方に手で引き上げる（図５の状態）と押え板１９はペーパー４に押されて回転する。
【００１４】  押え板１９の動きを図６により説明する。図６は押え板１９、オートカッタトリガー駆動レバー２０、オートカッタートリガーレバー２１、オートカッタートリガーセンサー２２、の位置関係を立体的に図示したものである。押え板１９、オートカッタトリガー駆動レバー２０はカバー１に設置されている。オートカッタートリガーレバー２１、オートカッタートリガーセンサー２２はフレーム右６に設置されている。オートカッタートリガーセンサー２２はフォトインタラプタである。
ペーパー４の先端４０１を上方に手で引き上げる（図５の状態）とペーパー４が押え板１９の検出部１９１を押し、押え板１９は回転中心１９２を支点として矢印Ａ方向に回転する。すると押え板１９の突起１９３はオートカッタトリガー駆動レバー２０の下接触部２０１を押し上げ、オートカッタトリガー駆動レバー２０は矢印Ｂ方向へ移動する。この動きはオートカッタトリガー駆動レバー２０の上接触部２０２がオートカッタートリガーレバー２１の先端部２１１を押し、オートカッタートリガーレバー２１は回転中心２１２を支点として矢印Ｃ方向へ回転する。するとオートカッタートリガーレバー２１の他端２１３がオートカッタートリガーセンサー２２の光軸を遮蔽していた状態（ＯＦＦ）から光軸を開く状態（ＯＮ）に変化され、この信号がオートカッタートリガー信号でありペーパー４をカットするタイミングとなる。
【００１５】  図７はペーパー４をカットする状態を表す図である。まずオートカッタートリガー信号を受けてオートカッターモーター２３に通電する。オートカッターモーター２３は回転し始め、オートカッターモーター歯車２４、歯車輪列２８を介してオートカッターカム歯車２５を回転させる。オートカッターカム歯車２５の溝カム２５１に沿ってオートカッター駆動軸２６は溝カムの最小径部２５２から最大径部２５３まで移動する。（図８参照）その動きに従動してペーパー切断部２７はペーパー４から最も遠い位置から最も近い位置に移動されるので、ペーパー切断部２７に設置されたカッター２９はカット位置４０３のペーパー４を貫き、ペーパー４を切断する。オートカッター駆動軸２６が最小径部２５２から最大径部まで移動する時はカッター２９も移動するが、ペーパー押えダンパー３０、及びペーパー送りローラ１６も移動する構造になっている。最初にペーパー押えダンパー３０がペーパー４をローラホルダー３１に押さえつける。ペーパー押えダンパー３０がローラホルダー３１に当接した後、さらにペーパー送りローラ１６がペーパー押えローラ１３に接する位置まで移動する。ペーパー押えダンパー３０は柔らかい材質で作られており、たわんだ状態でペーパー４を押さえつけることができる。ローラホルダー３１はペーパー押えローラ１３を回転可能に軸支しており、カバー１に固定一体化されている
【００１６】  図７において、カッター２９によりペーパー４を切断後、オートカッターカム歯車２５はさらに回転し、オートカッター駆動軸２６は溝カム２５１の最大径部２５３から中間径部２５４まで移動する。この時カッター２９、ペーパー押えダンパー３０はペーパー４より離れた位置に移動するが、ペーパー送りローラ１６はペーパー押えローラ１３に接した位置に留まっている。使用者が図７の状態のまま、ペーパー４を引き出すことも無く、この状態を保っていると装置は次の動作に移らない。それはペーパー検出レバー１８によりペーパー４は排出口１５に依然存在していることを検知しているからである。
【００１７】  使用者が自身の意思でペーパー４を装置より引き出すと図９の状態となる。切断されたペーパー４は完全に引き出されるので、押え板１９は図６の矢印Ａの反対方向に回転しオートカッタトリガー駆動レバー２０は矢印Ｂの反対方向へ移動する。この動きはオートカッタートリガーレバー２１を矢印Ｃの反対方向へ回転する。するとオートカッタートリガーレバー２１の他端２１３がオートカッタートリガーセンサー２２の光軸を遮蔽する状態（ＯＦＦ）に戻すことになる。またペーパー検出レバー１８はペーパー４が引き出された為、支点１８２を中心に回転する。この動きについて図６を用いて説明する。ペーパー検出レバー１８はペーパー４が引き出されて無くなった為、支点１８２を中心に矢印Ｄ方向に回転する。この動きによりペーパー検出レバー１８の一端１８３に軸支されたペーパーセンサー駆動レバー３２を矢印Ｅ方向に動かす。するとペーパーセンサー駆動レバー３２の先端部３２１が矢印Ｅ方向に移動する為、ペーパーセンサーレバー３３が支点３３１を中心に矢印Ｆ方向に回転する。するとペーパーセンサーレバー３３の他端３３２がペーパーセンサー３４の光軸を遮蔽していた状態（ＯＦＦ）から光軸を開く状態（ＯＮ）に変化され、この信号がペーパー４が排出口１５から存在しなくなったことを検知するペーパー無し信号であり、切断されてペーパーロール７側に残ったペーパー４を送るタイミングとなる。ペーパーセンサー３４はフォトインタラプタである。ペーパー検出レバー１８、ペーパーセンサー駆動レバー３２はカバー１に設置されている。ペーパーセンサーレバー３３、ペーパーセンサー３４はフレーム右６に設置されている。
【００１８】  図９において、カットされたペーパー４を引き出した為、ペーパー検出レバー１８が回転し、ペーパーセンサー３４がＯＮした信号を出す。制御手段がこのペーパー無し信号を検出すると、ペーパー送りローラ１６を駆動するペーパー送りモーター（図示無し）に通電し、ペーパー送りモーターを回転させ、ペーパー送りローラ１６を回転させる。ペーパー４はペーパー押えローラ１３とペーパー送りローラ１６に適当なバネ力で付勢した状態で挟まれている為、ペーパー送りローラ１６が回転するとペーパー４は下方向へ送られる。ペーパー４の切断部４０４を位置４０５まで送るようにペーパー送りモーターを回転させる。４０６はペーパー４を送った状態の先端部分を表している。従って、ペーパー４が送られた状態では位置４０５のペーパーとペーパーロール７とはつながった状態となる。但し図９では説明し易くする為にペーパー４はつなげてない図としてある。図９の状態ではペーパー４は装置の内部で垂れ下がった状態となっている。
【００１９】  図１０はペーパー４の先端４０１を三角折りして装置の前面５に排出する状態を表した図である。ペーパー４がペーパー送りローラ１６により下方に垂れ下がった状態（図９）の後に三角折り板３５の支点３５１を中心に回転させる為に三角折り板駆動用モーター（図示なし）に通電する。三角折り板駆動用モーターが回転し輪列・リンク機構などを介して三角折り板３５を矢印Ｇ方向へ回転する。三角折り板３５の先端３５２はペーパー４の先端を折り返しながら、しかも三角折り板３５の先端形状にペーパー４を沿わせながら排出口１５を通り、外部にペーパー４を運ぶ。ペーパー４を三角状に形成する為に排出口１５の近傍にペーパーブレーキ３６を設けている。ペーパーブレーキ３６はフレーム側に設置され、ペーパー４の両側に位置し一対設けてある。ペーパーブレーキ３６により、ペーパー４の両側が三角折り板３５に沿う形となり、三角折りが形成される。ペーパー４を装置の外部に一定量排出した後、さらに三角折り板駆動用モーターを回転させて、リンク機構により三角折り板３５を矢印Ｇと反対の方向へ回転させる。するとペーパー４の三角折りした先端部４０１を残して三角折り板３５は元の位置に戻る。この状態は図３の状態であり、装置全体も元の状態に戻ったことになる。ペーパー検出レバー１８は検出部１８１がペーパー４に接している為、ペーパーセンサー３４はＯＦＦの状態であり、ペーパー４が有ることを認識する。かくして、ペーパーの引き出し、ペーパーの切断、ペーパー先端の三角折りの一連の動作が完了したことになる。
【００２０】  図１１は本発明によるペーパーホルダーの実施例のタイミングチャートである。矢印Ｈは装置の待機状態であり、図３の状態のタイミングである。矢印Ｉは使用者がペーパーを引き出した状態で、図４の状態のタイミングである。矢印Ｊは使用者がペーパーをカットしようとペーパーを上に持ち上げた状態で図５の状態のタイミングである。この状態ではオートカッタートリガーセンサーはＯＦＦからＯＮに変わり（３８）、その信号によりオートカッターモーターに通電する（３９）。オートカッターモーターが回転するので、オートカッター駆動軸の動き（４０）、及びカッターの動き（４１）が始まる。またペーパー送りローラはペーパー押えローラとは離れていた位置からペーパー押えローラと接する位置に移動する（４２）。
【００２１】  矢印Ｋはカッターが最大限とび出た状態で図７の状態のタイミングである。図７でオートカッターカム歯車２５には、あるタイミングで信号が出るように設計してあり、その信号が図１１のオートカッターセンサーであり、タイミング４３で信号を出し、その信号でオートカッターモーターの通電を切る（４４）。矢印Ｌは切断されたペーパーを手で引き抜く状態で図９の状態のタイミングである。ペーパーセンサーはＯＦＦからＯＮに変化する（４５）。この信号によりペーパー送りモーターに通電する（４６）。これによりペーパー送りローラが回転するのでペーパーが所定量送られる（４７）。ペーパー送りモーターへの通電は時間で管理される（４７）。所定時間経つと通電を切る（４８）。と同時にオートカッターモーターに通電するとオートカッター駆動軸が動き（５０）、ペーパー送りローラがペーパー押えローラに対して接しない位置に移動する（５１）。オートカッターカム歯車２５には、あるタイミングで信号が出るように設計してあり、その信号が図１１のオートカッターセンサーであり、タイミング５２で信号をＯＦＦする。この信号によりオートカッターモーターの通電を切る（５３）。と同時に三角折り駆動用モーターに通電を開始する（５４）。三角折り駆動用モーターが回転すると三角折り板が動き（５５）ペーパーを三角折りしながら装置前面に排出する。この時にペーパー検出レバーがペーパーを検出してペーパーセンサーがＯＦＦされる（５６）。
【００２２】  矢印Ｍは三角折り板が最大に装置前面に出た状態であり、図１０の状態のタイミングである。三角折り板を駆動するリンク機構に所定のタイミングでＯＮ、ＯＦＦする三角折りセンサーが設けられており、この三角折りセンサーのＯＮ（５７）のタイミングで三角折り駆動用モーターの通電を切る（５８）。これで矢印Ｈの状態に戻り、ペーパーの引き出し、ペーパーの切断、ペーパー先端の三角折りの一連の動作が完了したことになる。
【００２３】  本発明によれば、矢印Ｊのタイミングまではペーパーホルダー装置は自動的な動作をすることは何も無い為、使用者がペーパーを必要な長さをきちんと引き出したか確認することが出来るし、また使用者がペーパーを折り畳んで引き出すことを望む時、必要な長さ、必要な折り畳み量を確認することが出来るものである。そしてペーパーを切断したい時には使用者の意思によりペーパーを上に持ち上げることにより、オートカッタートリガーセンサーの信号を発生させることが出来、この信号をきっかけにして、ペーパーを切断する自動的な動作に移ることができる。
【００２４】  本発明によれば、矢印Ｌのタイミングにおいて排出口にあるペーパーを使用者が完全に引き出してからペーパーセンサーがＯＮして、それをきっかけとしてペーパー送りの動作をするので、もし、ペーパーの切断が不完全であった場合でも、使用者がペーパーを引き出す時に不完全な切断部分を使用者の力で切断してから次のペーパー送り動作が行われ、正常なペーパー送りがされる。例えばペーパーセンサーが無い場合は、切断した後、自動的にペーパー送りされるが、不完全な切断部分があればペーパーは所定の位置（図９の４０５）に送られずに排出口から外側に送り出されてしまい、次の動作である三角折り板でペーパーの先端を三角に折ることが出来なくなる。この場合は使用者があらためて手動でペーパーを千切る必要が生じる。不完全な切断の現象は例えば使用者がペーパーを引き出す時、ペーパーの左右どちらかに相当偏って引き出すと頻繁に発生する。これはカッター幅に対してペーパー端がはみ出る為であるが、本発明であれば、このような使用者の偏ったペーパー引き出し方をして不完全な切断があっても次の動作は正常に行われるものであり信頼性が相当上がるものである。
【００２５】  本発明によれば、ペーパーを装置前面に出す為の手段として三角折り板を設けてある為、強制的にペーパーを装置前面に送り出すのでペーパーのつまりは一切無い。しかも装置前面にペーパーが出されている為、使用者はペーパーの先端を摘まみ易く、容易に引き出す行為が可能となる。
【００２６】  図１２はカバー１をカバー支点１０中心に開いた状態の斜視図である。ペーパーロール７を装置にセットする時は、カバー１を開き、ペーパーロール７よりペーパー４を解いた状態でペーパーロール受け８（図３参照）に落とし込む。この状態でカバー１を閉じればペーパー４は図３に示すペーパー４の経路に自然と設定される。カバー１を閉じる時、自重などで急激に回転することの無いよう、カバーに歯車３８を設け、ダンパーのついた歯車３７と噛みあわせてある。またカバー１は閉じた時はフレーム側にクランプ出来るような構造となっている。
【００２７】  本発明の別実施例を挙げる。図１の実施例ではペーパーの先端を三角折りしているが、三角状を平状に変えても、つまり三角折り板３５の先端形状を平たんにしても機能的に問題は無く、本発明の効果は充分ある。さらに図１の実施例ではペーパー有無検出部にレバーとフォトインタラプタを用いたが、これに限定されることなく、直接ペーパーの有無を光センサーで検出しても何ら問題ない。
【符号の説明】
【００２８】１    カバー、
２    ケース左
３    ケース右
４    ペーパー
６    フレーム右
７    ペーパーロール
８    ペーパーロール受け
９    受ローラ
１２  ペーパー受回転軸
１３  ペーパー押えローラ
１５  排出口
１６  ペーパー送りローラ
１７  ペーパー送り軸スライダ
１８  ペーパー検出レバー
１９  押え板
２０  オートカッタトリガー駆動レバー
２１  オートカッタートリガーレバー
２２  オートカッタートリガーセンサー
２３  オートカッターモーター
２４  オートカッターモーター歯車
２５  オートカッターカム歯車
２６  オートカッター駆動軸
２７  ペーパー切断部
２８  歯車輪列
２９  カッター
３０  ペーパー押えダンパー
３１  ローラホルダー
３２  ペーパーセンサー駆動レバー
３３  ペーパーセンサーレバー
３４  ペーパーセンサー
３５  三角折り板
３６  ペーパーブレーキ
【図１】
2015202391.tif 000003
【図２】
2015202391.tif 000004
【図３】
2015202391.tif 000005
【図４】
2015202391.tif 000006
【図５】
2015202391.tif 000007
【図６】
2015202391.tif 000008
【図７】
2015202391.tif 000009
【図８】
2015202391.tif 000010
【図９】
2015202391.tif 000011
【図１０】
2015202391.tif 000012
【図１１】
2015202391.tif 000013
【図１２】
2015202391.tif 000014